(57)【要約】【課題】より軽量化が実現でき，更に使用箇所により絶縁性を要求される場合にも，安全で，更には外観上の美観を備えた携帯型スロープ装置を提供する。【解決手段】所定の幅と長さを有する上面側の透明樹脂板と，前記所定の幅と長さを有する下面側の透明樹脂板と，前記上面側の透明樹脂板と下面側の透明樹脂板でサンドイッチ状に所定間隔に配置される複数の垂直部を有する透明の補強樹脂板で，それぞれ構成される一対の本体部と，前記一対の本体部の長さ方向の一方側に，係止部を有し，前記一対の本体部は，それぞれの幅方向の片側が，布蝶番で相互に接続され，折りたたみ可能にされ，前記一対の本体部を開いた状態で，前記係止部を高位部に係止めし，前記一対の本体部の前記係止部と反対側との間に傾斜を形成する。【選択図】図１
2013213346.tif 000002
【特許請求の範囲】
【請求項１】
所定の幅と長さを有する上面側の透明樹脂板と，前記所定の幅と長さを有する下面側の透明樹脂板と，前記上面側の透明樹脂板と下面側の透明樹脂板でサンドイッチ状に所定間隔に配置される複数の垂直部を有する透明の補強樹脂板で，それぞれ構成される一対の本体部と，
前記一対の本体部の長さ方向の一方側に，係止部を有し，
前記一対の本体部は，それぞれの幅方向の片側が，布蝶番で相互に接続され，折りたたみ可能にされ，
前記一対の本体部を開いた状態で，前記係止部を高位部に係止めし，前記一対の本体部の前記係止部と反対側との間に傾斜を形成する，
ことを特徴とする携帯型スロープ装置。
【請求項２】
請求項１において，
前記透明の補強樹脂板は，前記本体部の幅方向に所定間隔で交互に垂直に折り曲げられて，前記垂直部を形成し，
前記本体部の長さ方向に沿って，前記複数の垂直部のそれぞれに金属板が添えられている，  
ことを特徴とする携帯型スロープ装置。
【請求項３】
請求項２において，
更に，前記複数の垂直部のそれぞれに添えられている，対向する金属板の間に，コ字状に形成された透明樹脂のコ字型補強部材を挿入して，前記補強樹脂板の垂直部とにより前記金属板を挟んで垂直状態を維持させる，
ことを特徴とする携帯型スロープ装置。
【請求項４】
請求項３において，
前記上面側及び下面側の透明樹脂板，複数の垂直部を有する透明の補強樹脂板，及びコ字型補強部材は，ポリカーボネート樹脂板であり，前記金属板は，ジュラルミン板である，
ことを特徴とする携帯型スロープ装置。
【請求項５】
請求項１において，
前記本体部の係止部と反対側は，上面側の透明樹脂板の延長部と下面側の透明樹脂板の延長部により形成される導入板部を有し，
前記導入板部を形成する前記上面側の透明樹脂板の延長部が下側方向に折り曲げられて前記下面側の透明樹脂板の延長部の先端部を覆うように形成されている，
ことを特徴とする携帯型スロープ装置。
【発明の詳細な説明】
【技術分野】
【０００１】
本発明は、車椅子利用者の電車等乗降の際，又は日常生活における段差解消のために簡易なスロープを形成する携帯型スロープ装置に関する。
【背景技術】
【０００２】
近年の高齢化社会に対応して，駅，都市施設，家庭内等においてバリアフリー化が進んでいる。しかし，依然として多くの箇所に段差を有しており車椅子利用者にとって移動を困難としている。
【０００３】
常に車椅子利用が可能のように，常設のスロープを設けることはスペースと費用の点で難しい。また，電車等の乗降のために，車両側に特殊機構を設け車両側からスロープを張り出し形成することが提案されている（特許文献１）。また，車両とプラットホームの段差をなくすべく，プラットホームの高さを昇降させることも提案されている（特許文献２）。
【０００４】
一方，板材で適時にスロープを形成する携帯型スロープ装置に関して，種々の提案がなされている（特許文献３−７）。
【０００５】
特許文献３に記載の発明では，電車の乗降に用いられる電車乗降用スロープであって，板状部材を一列に並んで配置し，互いに隣接する板材部材をシート部材により連結する構造である。
【０００６】
特許文献４に記載の発明は，車椅子や体に障害のある人の通行に用いる渡し板であって，３枚の板部材を，可撓性を有する合成樹脂製のテープにより接続した構成である。
【０００７】
特許文献５に記載の発明は，携帯用スロープであって，それぞれ中空部を有する金属製の分割部材を相互に接合して構成されたスロープ板を有する構造である。
【０００８】
特許文献６に記載の発明は，携帯用スロープであって，板材を，繊維強化プラスチックを用いて形成する事が記載されている。
【０００９】
特許文献７に記載の発明は，ポータブル式車いす傾斜台であって，隣接して並べられたリーフと，隣接するリーフの間に伸びる織物の条片により形成されている。リーフは強化ファイバーグラス材料で覆われた剛性の発泡材料から形成されている。
【先行技術文献】
【特許文献】
【００１０】
【特許文献１】特開２０００-４３７１８号公報
【特許文献２】特開２００２-２７４３６１号公報
【特許文献３】特開２００７-１１８７５８号公報
【特許文献４】特開２０１０-２１６１７９号公報
【特許文献５】特開２００５-３４２０１６号公報
【特許文献６】特開２００３-１８４２４９号公報
【特許文献７】特開２００２−８８９９６号公報
【発明の概要】
【発明が解決しようとする課題】
【００１１】
上記の従来技術において，特許文献３〜７に記載の電車乗降用スロープ，渡し板，携帯用スロープ，ポータブル式車いす傾斜台等の発明において，いずれも軽量化を目的としている。そのために，板材として，アルミの中空板，繊維強化プラスチックを材料として用いている。
【００１２】
しかし，いずれの発明も，これらの材料で単一の板条に形成し，これを複数枚可撓性の接続部材で連結する構造である。したがって，人を乗せた状態の車椅子の重量を考慮すると，強度を高めるためには，相応の厚みを有することが必然である。これにより，軽量化においても限界が生じる。さらに，繊維強化プラスチックの板材の状態である場合，他との接触，衝撃等により，板材の端面が捲れ，強化プラスチック繊維が露出してくるという問題を有している。
【００１３】
したがって，本願発明の目的は，かかる従来の技術における問題を解決するため，より軽量化が実現でき，更に使用箇所により絶縁性を要求される場合にも，安全で，更には外観上の美観を備えた携帯型スロープ装置を提供することにある。
【課題を解決するための手段】
【００１４】
上記目的を解決する本発明に従う携帯型スロープ装置は，所定の幅と長さを有する上面側の透明樹脂板と，前記所定の幅と長さを有する下面側の透明樹脂板と，前記上面側の透明樹脂板と下面側の透明樹脂板でサンドイッチ状に所定間隔に配置される複数の垂直部を有する透明の補強樹脂板で，それぞれ構成される一対の本体部と，前記一対の本体部の長さ方向の一方側に，係止部を有し，前記一対の本体部は，それぞれの幅方向の片側が，布蝶番で相互に接続され，折りたたみ可能にされ，前記一対の本体部を開いた状態で，前記係止部を高位部に係止めし，前記一対の本体部の前記係止部と反対側との間に傾斜を形成することを特徴とする。
【００１５】
上記目的を解決する本発明に従う携帯型スロープ装置の一態様として，前記透明の補強樹脂板は，前記本体部の幅方向に所定間隔で交互に垂直に折り曲げられて，前記垂直部を形成し，
前記本体部の長さ方向に沿って，前記複数の垂直部のそれぞれに金属板が添えられていることを特徴とする。
【００１６】
上記目的を解決する本発明に従う携帯型スロープ装置の一態様として，更に，前記複数の垂直部のそれぞれに添えられている，対向する金属板の間に，コ字状に形成された透明樹脂のコ字型補強部材を挿入して，前記補強樹脂板の垂直部とにより前記金属板を挟んで垂直状態を維持させることを特徴とする。
【００１７】
上記目的を解決する本発明に従う携帯型スロープ装置の一態様として，前記上面側及び下面側の透明樹脂板，複数の垂直部を有する透明の補強樹脂板，及びコ字型補強部材は，ポリカーボネート樹脂板であり，前記金属板は，ジュラルミン板であることを特徴とする。
【００１８】
さらに，上記目的を解決する本発明に従う携帯型スロープ装置の一態様として，前記本体部の係止部と反対側は，上面側の透明樹脂板の延長部と下面側の透明樹脂板の延長部により形成される導入板部を有し，前記導入板部を形成する前記上面側の透明樹脂板の延長部が下側方向に折り曲げられて前記下面側の透明樹脂板の延長部の先端部を覆うように形成されていることを特徴とする。
【図面の簡単な説明】
【００１９】
【図１】本発明に従う携帯型スロープ装置の一実施例の概念構成を示す図である。
【図２】図１に示した携帯型スロープ装置の本体部１ａ，１ｂの構成の詳細を説明する図であり，表面側を示している。
【図３】図１に示した携帯型スロープ装置の本体部１ａ，１ｂの構成の詳細を説明する図であり，裏面側を示している。
【図４】図２（２）に示される断面の○で囲んだ部分２０の部分拡大図である。
【図５】図２（２）の端部の○で囲んだ部分２１の部分拡大図である。
【図６】上面板１１側から見た平面図である。
【図７】下面板１２側から見た平面図である。
【図８】電車乗降用に適用化した携帯型スロープ装置の実施例構成の表側面から見た平面図である。
【発明を実施するための形態】
【００２０】
以下に図面を参照して、本発明の実施例を説明する。
【００２１】
図１は，本発明に従う携帯型スロープ装置の一実施例の概念構成を示す図である。図１において，（１）は携帯型スロープ装置を使用状態にしたときの斜視図であり，（２）は中央で折り畳んで携帯可能とした状態で，（１）の矢印Ａの方向から見た図である。
【００２２】
実施例として二枚の本体部１ａ，１ｂを有し，本体部１ａ，１ｂのそれぞれ一側面を布蝶番２で相互に接続している。
【００２３】
本発明において，本体部１ａ，１ｂは全体として透明の絶縁体で構成され，更に軽量化のための特徴構造を有する。かかる本体部１ａ，１ｂの構造については，後に詳細に説明する。
【００２４】
本体部１ａ，１ｂのそれぞれの矢印Ａ方向の両端部の一方の端部には，係止部３が形成されている。この係止部３側が段差の高位側部分，例えば，携帯型スロープ装置を電車の乗降に使用する場合は，電車のドアレールに係止される。一方，反対側の端部には，導入板部４が形成され，プラットホーム等低位側に位置される。
【００２５】
本体部１ａ，１ｂの布蝶番２で結合される側と反対側にナイロンバンド５が設けられ，（２）の状態に布蝶番２で折り畳まれた時に，ナイロンバンド５が携帯に便利なつり下げ部となる。
【００２６】
さらに，図１（１）に切り欠き部６が形成されているが，携帯型スロープ装置を電車の乗降に使用する場合，後に説明するように電車のドアレールに位置決めするために設けられている。他の用途に使用される場合は，かかる切り欠き部６を設ける事は必要がない。
【００２７】
図２，図３は，図１に示した携帯型スロープ装置の本体部１ａ，１ｂの構成の詳細を説明する図であり，図２は表面側を，図３は裏面側を示している。なお，本発明に従う携帯型スロープ装置は，電車の乗降時に使用される態様に限定されないので，切り欠き部６は省略して示している。
【００２８】
図２において，（１）は，表面側から見た平面図，（２）は，Ａ−Ａ線に沿う断面図，（３）は，Ａ−Ａ線に沿う方向から見た側面図である。図３において，（１）は，裏面側から見た平面図，（２）は，Ａ−Ａ線に沿う断面図である。
【００２９】
本体部１ａ，１ｂは，基本的構造として，表面側及び裏面側に対して垂直の複数の補強仕切り１０が本体部１ａ，１ｂの幅方向（紙面の横方向）に所定間隔で並列に並ぶように配置し，それを上面と下面の透明の樹脂板１１，１２でサンドイッチする構造である。
【００３０】
図２（３）において，導入板部４の構造が，右下方に拡大して示されている。すなわち，上面の透明樹脂板１１の延長部分１１ａが折り曲げられて，下面の透明樹脂板１２の延長部分１２ａの先端を覆うように対応づけられている。さらに，延長部分１１ａと延長部分１２ｂで形成される間隙に断面がＬ字型の補強材１８が，本体部１ａ，１ｂの幅方向に沿って，備えられている。
【００３１】
かかる導入板部４の構造により，車いすの車輪が導入板部４に引っかかる等の不都合がなくスムースに乗り上げ，それに続く本体部１ａ，１ｂへの導入を容易にすることができる。
【００３２】
次に，上記のサンドイッチ構造の実施例を，図４，図５により詳細に説明する。
【００３３】
図４は，図２（２）に示される断面の○で囲んだ部分２０の部分拡大図である。図４において，理解容易のように下方部分に，模式的な分解図を示す。補強仕切り１０は，一枚の透明な，紙面垂直方向に長さを有するポリカーボネート樹脂板１３を，所定間隔で垂直に交互に折り曲げられて形成される。すなわち，交互に折り曲げられたポリカーボネート樹脂板１３の垂直に立つ部分が補強仕切り１０となる。
【００３４】
さらに，補強仕切り１０の内側部分に金属の補強材，その実施例ジュラルミン板１４を沿わせる。
【００３５】
また，ジュラルミン板１４が倒れないように，コ字型で透明なポリカーボネート樹脂のコ字型補強部材１５を内側から挿入して補強仕切り１０とでジュラルミン板１４を挟むようにしている。なお，このコ字型補強部材１５は，図２，図３により明確に示されるように，本体部１ａ，１ｂの長さ方向に適宜の間隔で複数個配置される。
【００３６】
このような，補強仕切り１０，ジュラルミン板１４，及びコ字型補強部材１５を上面と下面の透明樹脂板１１，１２でサンドイッチ状態にされている。
【００３７】
図５は，図２（２）の端部の○で囲んだ部分２１の部分拡大図である。部分２１の構成は，吊り下げ用のナイロンバンド５を設ける部分の補強を考慮した構造である。このため，図４との比較において，端部のコ字型補強部材１６は，実質的にコ字型補強部材１５とは，長さが異なる。さらに，コ字型補強部材１５とは逆方向に挿入される。これによりナイロンバンド５の取り付け部分において，カーボネート樹脂板の板厚が２倍にでき，強度を高められる。
【００３８】
さらに，上面の透明樹脂板１１と下面の透明樹脂板１２のそれぞれの端部１１ａ，１２ａは，直角に折り曲げられ，それぞれの先端が当接するように長さを有する。これにより，上面の透明樹脂板１１と下面の透明樹脂板１２により，箱状を形成し，その中に交互に折り曲げられたポリカーボネート樹脂板１３の垂直に立つ部分が補強仕切り１０を収容する形態となる。
【００３９】
図６，７は，更なる実施例であり，それぞれ上面の透明樹脂板１１側から見た平面図，及び下面の透明樹脂板１２側から見た平面図である。この実施例では，更に軽量化を意図して，補強仕切り１０を形成するために交互に折り曲げられたポリカーボネート樹脂板１３の上面の透明樹脂板１１と下面の透明樹脂板１に接する水平部分に複数の抜き打ち穴１７を設けている。かかる複数の抜き打ち穴１７を有する形態であっても，補強仕切り１０が維持されるために，本体部１ａ，１ｂの面に垂直方向に対し，強度を減じることはない。
【００４０】
図８は，電車乗降用に適用化した本発明に従う携帯型スロープ装置の実施例構成であり，表面側から見た平面図である。基本的に図６，図７に示した複数の抜き打ち穴１７を設けて更なる軽量化を図った構成である。先に説明したように，電車の扉のレールとの係合，位置決めのための切り欠き６を有している。
【００４１】
図８の下方に，切り欠き６と電車の扉のレールとの係合を示している。扉のレールは一例として，最内側にある長いレール１９ａと，中間の一対のレール１９ｂと，外側の中央にあるレール１９ｃを有する。このような場合，係止部３が長いレール１９ａと中間の一対のレール１９ｂとの間に位置づけられ，且つ切り欠き６が，外側の中央レール１９ｃの幅に対応するように位置づけられる。これにより，携帯型スロープ装置の前後，及び左右の動きを規制することができ，安全性を高めることができる。
【００４２】
さらに，本体部１ａ,１ｂの表面側には，透明樹脂の吹きつけ層で粗面を形成し，車椅子のスリップを防止している。また，本体部１ａ,１ｂの側面には必要により，保護テープを貼りつけてある。
【００４３】
さらに，本発明に従う携帯型スロープ装置は，透明脂透板で構成されるので，軽量化とともに絶縁性に優れる。これにより，上記したように電車の車両部分に係止部３を係止する場合にあっての車椅子利用者に対する電気的絶縁の安全性が担保できる。同時に，優れた絶縁性の観点から，例えば，自動開閉ホーム扉に収納スペースがあれば，携帯型スロープ装置を折りたたんで収納することも可能である。
【００４４】
また，透明樹脂板により形成されているので，裏面側にメッセージ，画像等を貼り付け表面側から観察することが可能である。これにより，携帯型スロープに美感を与える事が可能であり，又ＰＲメッセージ表示板説いての役割も持たせる事が可能である。さらには，本体内部に，照明灯を設けることにより，夜間の利用においても，スロープの大きさを容易に視認することができる。
【００４５】
[実施例]
上記構成の本発明に従う携帯型スロープ装置において，実施例として，本体部１ａ，１ｂのそれぞれの大きさを，おおよそ長さ８００mm，幅４００mm，厚さ２０mmの大きさを製造した。その際，本体部１ａ，１ｂを構成する上面側の透明樹脂板１１，下面側の透明樹脂板１２，補強仕切り１０を形成するために交互に折り曲げられたポリカーボネート樹脂板１３の材料として，１．５mm厚のポリカーボネート樹脂板を用いた。また，補強仕切り１０に添えられる金属板１４として，１．２mm厚のジュラルミン板を用いた。
【００４６】
さらに，導入板部４に設けられる断面がＬ字型の補強材１８として，６mm厚のポリカーボネート樹脂板を用いた。 
【００４７】
かかる構造の携帯型スロープ装置により，上面と下面に薄いカーボネート樹脂板を用いているが，中間に垂直方向の補強部が形成されるので，重量に対して耐性が大きく，結論として，スロープの強度が曲げ応力及びせん断応力とも許容値以下であり，片面側の板中央部に３００ｋｇｆの集中荷重が加わった場合も安全であるとの計算結果が得られた。
【符号の説明】
【００４８】
１ａ，１ｂ  本体部
２  布蝶番
３  係止部
４  導入板部
５  ナイロンバンド
６  切り欠き部
１０  補強仕切り
１１  上面の透明樹脂板
１２  下面の透明樹脂板
１３  ポリカーボネート樹脂板
１４  金属の補強材
【図１】
2013213346.tif 000003
【図２】
2013213346.tif 000004
【図３】
2013213346.tif 000005
【図４】
2013213346.tif 000006
【図５】
2013213346.tif 000007
【図６】
2013213346.tif 000008
【図７】
2013213346.tif 000009
【図８】
2013213346.tif 000010
【手続補正書】
【提出日】平成24年4月27日(2012.4.27)
【手続補正１】
【補正対象書類名】明細書
【補正対象項目名】００４３
【補正方法】変更
【補正の内容】
【００４３】
さらに，本発明に従う携帯型スロープ装置は，透明樹脂板で構成されるので，軽量化とともに絶縁性に優れる。これにより，上記したように電車の車両部分に係止部３を係止する場合にあっての車椅子利用者に対する電気的絶縁の安全性が担保できる。同時に，優れた絶縁性の観点から，例えば，自動開閉ホーム扉に収納スペースがあれば，携帯型スロープ装置を折りたたんで収納することも可能である。
【手続補正２】
【補正対象書類名】明細書
【補正対象項目名】００４４
【補正方法】変更
【補正の内容】
【００４４】
また，透明樹脂板により形成されているので，裏面側にメッセージ，画像等を貼り付け表面側から観察することが可能である。これにより，携帯型スロープに美感を与える事が可能であり，又ＰＲメッセージ表示板としての役割も持たせる事が可能である。さらには，本体内部に，照明灯を設けることにより，夜間の利用においても，スロープの大きさを容易に視認することができる。
【手続補正書】
【提出日】平成24年7月26日(2012.7.26)
【手続補正１】
【補正対象書類名】特許請求の範囲
【補正対象項目名】全文
【補正方法】変更
【補正の内容】
【特許請求の範囲】
【請求項１】
所定の幅と長さを有する上面側の透明樹脂板と，前記所定の幅と長さを有する下面側の透明樹脂板と，前記上面側の透明樹脂板と下面側の透明樹脂板でサンドイッチ状に所定間隔に配置される複数の垂直部を有する透明の補強樹脂板で，それぞれ構成される一対の本体部と，
前記一対の本体部の長さ方向の一方側に，係止部を有し，
前記一対の本体部の長さ方向の反対側に，前記上面側の透明樹脂板の延長部と前記下面側の透明樹脂板の延長部により形成される導入板部を有し，
前記導入板部を形成する前記上面側の透明樹脂板の延長部が下側方向に折り曲げられて前記下面側の透明樹脂板の延長部の先端部を覆うように形成され，
前記一対の本体部は，それぞれの幅方向の片側が，布蝶番で相互に接続され，折りたたみ可能にされ，
前記一対の本体部を開いた状態で，前記係止部を高位部に係止めし，前記一対の本体部の前記係止部と反対側との間に傾斜を形成する，
ことを特徴とする携帯型スロープ装置。
【請求項２】
請求項１において，
前記透明の補強樹脂板は，前記本体部の幅方向に所定間隔で交互に垂直に折り曲げられて，前記垂直部を形成し，
前記本体部の長さ方向に沿って，前記複数の垂直部のそれぞれに金属板が添えられている，
ことを特徴とする携帯型スロープ装置。
【請求項３】
請求項２において，
更に，前記複数の垂直部のそれぞれに添えられている，対向する金属板の間に，コ字状に形成された透明樹脂のコ字型補強部材を挿入して，前記補強樹脂板の垂直部とにより前記金属板を挟んで垂直状態を維持させる，
ことを特徴とする携帯型スロープ装置。
【請求項４】
請求項３において，
前記上面側及び下面側の透明樹脂板，複数の垂直部を有する透明の補強樹脂板，及びコ字型補強部材は，ポリカーボネート樹脂板であり，前記金属板は，ジュラルミン板である，
ことを特徴とする携帯型スロープ装置。
【請求項５】
請求項１において，
前記上面側の透明樹脂板と前記下面側の透明樹脂板に，前記所定間隔に配置される複数の垂直部に沿って，前記所定間隔に形成される複数の抜き穴を有する，
ことを特徴とする携帯型スロープ装置。